(57)【要約】【課題】省スペース及び低コスト化が要求される画像読取制御装置において、ＡＤＦを用いた原稿搬送系で、イメージセンサ幅以上の原稿をスキャンすることができ、また、コピーが可能である画像読取制御装置を提供することを目的とする。【解決手段】本発明は、読取原稿の搬送方向とイメージセンサの移動方向とが直交し、自動原稿送り装置とイメージセンサとが交互に動き、原稿を読み取る画像読取制御装置である。また、本発明は、上記イメージセンサが読み取った画像データを取り込む画像データ取込手段と、上記イメージセンサが読み取った画像データ分だけ、原稿を搬送する原稿搬送手段とを有する。本発明は、上記原稿搬送手段が原稿を搬送した後に、上記画像データ取込手段による画像データの取込と上記原稿搬送手段による原稿搬送とを繰り返し実行させる制御手段を有する。【選択図】図１
2008160338.tif 000002
【特許請求の範囲】
【請求項１】
読取原稿の搬送方向とイメージセンサの移動方向とが直交し、自動原稿送り装置とイメージセンサとが交互に動き、原稿を読み取る画像読取制御装置であって、
上記イメージセンサが読み取った画像データを取り込む画像データ取込手段と；
上記イメージセンサが読み取った画像データ分だけ、原稿を搬送する原稿搬送手段と；
上記原稿搬送手段が原稿を搬送した後に、上記画像データ取込手段による画像データの取込と上記原稿搬送手段による原稿搬送とを繰り返し実行させる制御手段と；
を有することを特徴とする画像読取制御装置。
【請求項２】
請求項１において、
上記イメージセンサの幅以下に設定された読取有効範囲のシェーディング補正データを取得する手段を有し、Ｘ＿ｐｉｘｅｌ×Ｙ＿ｌｉｎｅのブロック単位で処理する手段を有し（Ｘ＿ｐｉｘｅｌは、設定された有効範囲又は有効範囲以下であり、Ｙ＿ｌｉｎｅは、設定されたライン数である）、
画像処理関連バッファメモリの容量を、上記イメージセンサの幅の容量以下に減少させることを特徴とする画像読取制御装置。
【請求項３】
請求項１又は請求項２において、
上記イメージセンサがスキャンして読み取る幅は、読取モードと残メモリ容量とに基づいて定められる幅であることを特徴とする画像読取制御装置。
【請求項４】
請求項１乃至請求項３のいずれか１項において、
読取モードと残メモリ容量とに基づいて、読取画像をメモリに蓄積する場合における圧縮率が設定されていることを特徴とする画像読取制御装置。
【請求項５】
フラットベットの読取面で、シート又はブック原稿を読み取る画像読取装置において、
読取モードと残メモリ容量とに応じた画像の領域を、イメージセンサに反復スキャンさせる反復スキャン手段と；
上記イメージセンサがスキャンした画像データを取り込む画像データ取込手段と；
を有し、画像処理関連バッファメモリの容量を、上記イメージセンサの幅の容量以下に減少させることを特徴とする画像読取制御装置。
【請求項６】
請求項１乃至請求項５のいずれか１項において、
上記イメージセンサがパラレル出力し、
上記イメージセンサがスキャンして読み取る幅は、上記パラレル出力の１出力の有効幅単位であることを特徴とする画像読取制御装置。
【請求項７】
読取原稿の搬送方向とイメージセンサの移動方向とが直交し、自動原稿送り装置とイメージセンサとが交互に動き、原稿を読み取る画像読取制御装置の制御方法において、
上記イメージセンサが読み取った画像データを取り込む画像データ取込工程と；
上記イメージセンサが読み取った画像データ分だけ、原稿を搬送する原稿搬送工程と；
上記原稿搬送工程で原稿を搬送した後に、上記画像データ取込工程における画像データの取込と上記原稿搬送工程における原稿搬送とを繰り返し実行させる制御工程と；
を有することを特徴とする画像読取制御装置の制御方法。
【請求項８】
フラットベットの読取面で、シート又はブック原稿を読み取る画像読取装置の制御方法において、
読取モードと残メモリ容量とに応じた画像の領域を、イメージセンサに反復スキャンさせる反復スキャン工程と；
上記イメージセンサがスキャンした画像データを取り込む画像データ取込工程と；
を有し、画像処理関連バッファメモリの容量を、上記イメージセンサの幅の容量以下に減少させることを特徴とする画像読取制御装置の制御方法。
【発明の詳細な説明】
【技術分野】
【０００１】
本発明は、読取デバイスによって読み取られる画像領域を、順次、画像処理しながら印刷する画像形成装置に関する。すなわち、ＣＣＤ（電荷結合素子）やＣＩＳ（コンタクトイメージセンサ）等で読み取った画像を、デジタル値に変換し、この変換されたデジタル画像データに、画像処理を施し、インクジェットプリンタやレーザプリンタ等の印刷装置に出力する。本発明は、このような機能を有し、デジタル複写機能を持つ複合機のスキャナ部の画像読取制御装置及び画像読取制御方法に関する。
【背景技術】
【０００２】
従来は、原稿読取幅のイメージセンサを有し、自動原稿送り装置（以下、「ＡＤＦ」という）を用いた原稿搬送系では、原稿搬送方向とイメージセンサのスキャン方向とは同じであり、イメージセンサ幅以上の原稿を読み取ることはできない。
【０００３】
また、カートリッジ化された印字ヘッド部分を、スキャナヘッドと交換し、短いイメージセンサ幅で、スキャナヘッドを原稿搬送方向と直交させ、原稿をスキャンする方式が知られている（たとえば、特許文献１参照）。
【特許文献１】特開平８−３２１９１１号公報
【発明の開示】
【発明が解決しようとする課題】
【０００４】
従来、ＡＤＦを用いた原稿搬送系では、イメージセンサ幅以上の原稿をスキャンすることができないという問題がある。
【０００５】
特許文献１記載のスキャナヘッド交換方式の画像読取装置では、スキャンしながらコピーができないという問題がある。
【０００６】
また、上記従来例では、ページメモリを有しない場合、ＰＣが無いと、コピーができないという問題がある。
【０００７】
さらに、上記従来例では、印字ヘッドとスキャナヘッドとを手動で交換するか、自動で入れ替えする機構を必要とし、使い勝手が悪く、コストアップするという問題がある。
【０００８】
上記スキャナヘッド交換方式では、イメージセンサ幅が短いので、１枚スキャンするのに、何パスも往復動作が必要であり、広範囲の読取解像度に対応するには、不向きである。また、ブック原稿のスキャンができないので、シート原稿に限定されるという問題がある。
【０００９】
本発明は、省スペース及び低コスト化が要求される画像読取制御装置において、ＡＤＦを用いた原稿搬送系で、イメージセンサ幅以上の原稿をスキャンすることができ、また、コピーが可能である画像読取制御装置を提供することを目的とする。
【００１０】
また、本発明は、画像処理関連バッファメモリの容量を、イメージセンサの幅の容量以下に減少させることができる画像読取制御装置を提供することを目的とする。
【００１１】
さらに、本発明は、画像処理バッファメモリの容量を減少させることができる画像読取制御装置を提供することを目的とする。
【課題を解決するための手段】
【００１２】
本発明は、読取原稿の搬送方向とイメージセンサの移動方向とが直交し、自動原稿送り装置とイメージセンサとが交互に動き、原稿を読み取る画像読取制御装置である。また、本発明は、上記イメージセンサが読み取った画像データを取り込む画像データ取込手段と、上記イメージセンサが読み取った画像データ分だけ、原稿を搬送する原稿搬送手段とを有する。本発明は、上記原稿搬送手段が原稿を搬送した後に、上記画像データ取込手段による画像データの取込と上記原稿搬送手段による原稿搬送とを繰り返し実行させる制御手段を有する。
【発明の効果】
【００１３】
本発明によれば、イメージセンサ幅以上の原稿を読み取ることができるという効果を奏する。
【００１４】
また、請求項５、８記載の発明によれば、ＡＤＦのシート原稿とフラットベットのブック原稿との両方に対応しつつ、本体の省スペース化を図ることができるという効果を奏する。
【発明を実施するための最良の形態】
【００１５】
発明を実施するための最良の形態は、次の実施例である。
【実施例１】
【００１６】
図１は、本発明の実施例１である画像読取制御装置１００の構成を示す図である。
【００１７】
画像読取制御装置１００は、読取デバイス１０１と、読取原稿１０２とを有する。
【００１８】
読取デバイス１０１は、原稿を走査してＲＧＢのアナログ信号を出力するＣＣＤ（電荷結合素子）やＣＩＳ（コンタクトイメージセンサ）で構成され、Ａ４のイメージセンサの一例である。
【００１９】
イメージセンサが原稿を読み取る場合、取得データを、入力手段で切り出す方式と、センサチップが複数並べられ、センサチップ単位で、センサ出力領域を制御する方式とがある。何れにしても、全読取範囲中の一部であるイメージセンサ領域のデータを取得する。
【００２０】
ブック原稿面１０３は、自動原稿送り装置（Ａｕｔｏ  Ｄｏｃｕｍｅｎｔ  Ｆｅｅｄｅｒ、以下、「ＡＤＦ」という。）を用いたシート原稿１０２の一部分と、ＡＤＦを使用しないフラットベット（ブック）スキャンとの共用の原稿面である。
【００２１】
イメージセンサ１０１の読取有効範囲が設定されると、ブック原稿面１０３について、イメージセンサ１０１が反復動作し、順次、読み取る。
【００２２】
読取原稿１０２は、ＡＤＦにセットされているイメージセンサ１０１の幅（ここでは、Ａ４幅）以上の幅を有する原稿であり、図１には、Ａ３の読取原稿１０２がセットされた場合を示してある。
【００２３】
ＡＤＦ搬送方向と直交する方向に、イメージセンサ１０１をスキャンさせながら、移動し、ＡＤＦによる原稿１０２の搬送と、イメージセンサ１０１の移動とを反復動作させ、イメージセンサ１０１の幅以上の幅を有する原稿１０２をスキャンする。
【００２４】
図１には、イメージセンサ１０１が、往路復路ともに、読取を実行するように示すが、スキャン方向が１方向だけの場合も、上記と同様に考えられる。
【００２５】
図２は、画像読取制御装置１００の画像処理部２００を示すブロック図である。
【００２６】
画像読取制御装置１００の画像処理部２００は、読取デバイス２０１と、読取入出力回路２０２と、シェーディング処理・圧縮処理部２０３と、画像処理ブロック２１０と、メモリ２３０と、記録処理ブロック２４０とを有する。
【００２７】
読取デバイス２０１は、原稿を走査し、ＲＧＢのアナログ信号を出力するＣＣＤ（電荷結合素子）やＣＩＳ（コンタクトイメージセンサ１０１）と、上記アナログ信号をデジタル信号にＡ／Ｄ変換するＡＦＥ（アナログフロントエンド）デバイスとを有する。
【００２８】
読取入出力回路２０２は、読取デバイス２０１の出力信号を取り込み、メモリ上に画像データを展開する。また、読取入出力回路２０２は、読取デバイス制御信号出力、読取デバイス２０１の出力信号をＡ／ＤコンバートするＡＦＥ（アナログフロントエンド）の制御信号出力、センサ光源の調光制御を行う。また、読取入出力回路２０２は、入力される画像信号に基づいて、フィードバックＰＷＭ制御、読み取りの水平同期を規定する水平同期信号の生成、読み取りのスタート、終了の制御を行う。さらに、読取入出力回路２０２は、モータ制御等のための水平同期信号に同期した割り込み用の信号生成、読取デバイス２０１から取り込む読み取りエリアの設定機能を有する。
【００２９】
シェーディング処理・圧縮処理部２０３は、設定されたイメージセンサ１０１の読取有効範囲で、シェーディング処理を施し、画像データ蓄積時に、圧縮処理を行う。圧縮処理が無い構成も同様に考えることができる。
【００３０】
画像処理ブロック２１０は、色補正ブロック２１１と、像域分離ブロック２１２と、フィルタ処理ブロック２１３と、変倍処理ブロック２１４と、色空間変換ブロック２１５と、ブロックバッファＲＡＭ２２０とを有する。色補正ブロック２１１と、像域分離ブロック２１２と、フィルタ処理ブロック２１３と、変倍処理ブロック２１４と、色空間変換ブロック２１５とは、それぞれ、ブロック単位で画像処理する。
【００３１】
色補正ブロック２１１は、ＲＧＢの色補正を行う入力データマスキングブロック処理やＬＵＴ（ルックアップテーブル）を用い、Ｒ、Ｇ、Ｂ独立にγ補正を行うブロック処理部をもつ。像域分離ブロック２１２は、８ｂｉｔ又はそれ以上のＲＧＢ画像データ入力によって、文字、線画輪郭部の画素判定を行う。白と黒との間隔が狭くなると、コントラストの低下とボケとが発生する。この性能を、ＭＴＦ（振幅伝達関数）補正フィルタで補正する。
【００３２】
フィルタ処理ブロック２１３は、モアレ低減のための主走査方向のフィルタ処理、画像の明度成分（Ｌ）のエッジ強調及び彩度（Ｃａ、Ｃｂ）の強調処理等のフィルタ処理を行う。変倍処理ブロック２１４は、線形補間等を用いた縮小、拡大を行う。色空間変換ブロック２１５は、ＲＧＢの多値画像データをＬ、Ｃａ、Ｃｂ信号に変換、その他ＹｃｂＣｒ、ＳＲＧＢ、ｓＹＣｂＣｒに変換する。
【００３３】
ブロックバッファＲＡＭ２２０は、従来の各画像処理ブロックに、ラインバッファを貼り付け、画像ブロックバッファを用い、バッファ内の矩形画像に対してシーケンシャルに画像処理ブロック２１０（ブロック２１１〜２１５）を接続し、画像処理を行う。
【００３４】
さらに、「イメージセンサ１０１の幅以下の設定された読取有効範囲」として、センサ方向のブロック数（ブロック＊−Ｘ、なお、「＊」は任意の数である）を設定することによって、画像処理に必要なバッファＲＡＭ容量を低減することができる。メモリ上に展開された入力画像についての矩形の画像領域を、画像処理モジュールに転送し、処理するので、矩形画像領域を画像処理するための最少のメモリ容量で、２次元バッファを構成することができる。
【００３５】
図３は、画像読取制御装置１００の読取有効範囲と、モータ駆動との関係を示す図である。
【００３６】
イメージセンサ１０１の読取有効範囲は、図１に斜線で示すイメージセンサ１０１の読取有効範囲であり、斜線で示す読取幅のデータが、図３において、Ｘｐｉｘｅｌ×ＹｌｉｎｅのブロックがＸ×Ｙ個並んでいるデータであることを示している。Ｘｐｉｘｅｌが、イメージセンサ１０１の読取有効範囲に等しい場合も、上記と同様に考えられる。
【００３７】
図３の下部に、モータ駆動図が記載され、このモータ駆動図は、イメージセンサ１０１の方向（Ｙｌｉｎｅ方向）にモータ駆動をしながら、イメージセンサ１０１の読取有効範囲でスキャンした場合の動作を示す。イメージセンサ１０１の最初の読取有効範囲分のスキャンを終了すると、ＡＤＦが、読取有効範囲分、原稿を搬送し、次の読取幅分、スキャンを再開する制御を行う。画像処理を含めたデータ処理順は、イメージセンサ１０１が反復動作をしながらスキャンを実行する場合、図３に示す矢印（→）の順である。反復動作をしない片方向の繰り返し動作の場合、イメージデータの最初の読取有効範囲のデータ処理順を繰り返す。
【００３８】
次に、ＡＤＦ原稿をスキャン制御する動作について説明する。
【００３９】
図４は、画像読取制御装置１００において、ＡＤＦ原稿をスキャン制御する動作を示すフローチャートである。
【００４０】
操作キーによって、コピー又はスキャン動作を開始する（Ｓ１）。ＡＤＦに原稿がセットされているかどうかを調べ（Ｓ２）、ＡＤＦに原稿がセットされていれば（Ｙｅｓ）、ＡＤＦスキャンの読取モード（解像度、コピー／スキャン）を設定する（Ｓ３）。そして、システム（又は画像処理関連バッファ）の残メモリ容量を取得する（Ｓ４）。上記読取モード（解像度）と残メモリ容量とに基づいて、イメージセンサ１０１の読取有効範囲を設定する（Ｓ５）。
【００４１】
続いて、読取画像のデータを蓄積する場合における圧縮率を設定する（Ｓ６）。圧縮率を設定しなくてもよい。上記イメージセンサ１０１の読取有効範囲と圧縮率との設定方法は、パラメータ化した相関テーブルに基づいて設定するか、又は、相関式から計算で算出する方法がある。目的は、所定のメモリ容量で構成できるように最適化することである。
【００４２】
次に、シート原稿を読取開始位置までフィードし（Ｓ７）、イメージセンサ１０１の移動を開始する（Ｓ８）。さらに、上記設定されたイメージセンサ１０１の読取有効範囲で、センサ主走査ラインのスキャンを開始する（Ｓ９）。イメージセンサ１０１が移動方向の紙端を検知したかどうかを調べ（Ｓ１０）、検知していなければ（Ｎｏ）、Ｓ９のスキャンを繰り返す。Ｓ１０で、紙端を検知したら（Ｙｅｓ）、イメージセンサ１０１の移動を停止する（Ｓ１１）。さらに、ＡＤＦの読取原稿の後端を検知したかどうかを調べ（Ｓ１２）、原稿後端を検知していなければ（Ｎｏ）、イメージセンサ１０１の読取有効範囲分、原稿を搬送し（Ｓ１４）、イメージセンサ１０１の移動方向を切換設定する（Ｓ１５）。
【００４３】
Ｓ８に戻り、イメージセンサ１０１の反復移動を開始する。Ｓ１２で、原稿後端を検知すると（Ｙｅｓ）、読取原稿を排出し（Ｓ１３）、スキャン／コピー動作を終了する（Ｓ１６）。
【００４４】
Ｓ２で、ＡＤＦに原稿がセットされず、操作キーによって、コピー又はスキャン動作を促された場合（Ｎｏ）、ステップＡ（図５）に移行する。
【００４５】
図５は、画像読取制御装置１００において、ブック原稿をスキャン制御する動作を示すフローチャートである。
【００４６】
ブック原稿スキャンの読取モード（解像度、コピー／スキャン）を設定する（Ｓ２１）。続いて、システム（又は画像処理関連バッファ）の残メモリ容量を取得する（Ｓ２２）。上記読取モード（解像度）と残メモリ容量とに基づいて、イメージセンサ１０１の読取有効範囲を設定する（Ｓ２３）。続いて、読取画像のデータを蓄積する場合における圧縮率を設定する（Ｓ２４）。
【００４７】
圧縮率を設定しない構成も考えられる。上記イメージセンサ１０１の読取有効範囲と圧縮率との設定方法は、パラメータ化した相関テーブルに基づいて設定するか、又は、相関式から計算で算出する方法がある。目的は、ＡＤＦスキャン時と同様に、所定のメモリ容量で構成できるように最適化することである。Ｓ２３において、システムのメモリ容量が許容されている場合、イメージセンサ１０１をパラレル出力可能な読取デバイス２０１にすることによって、イメージセンサ１０１の読取有効範囲を、イメージセンサ１０１の幅に設定し、高速読取に切換可能にしてもよい。
【００４８】
続いて、イメージセンサ１０１の移動を開始する（Ｓ２５）。さらに、上記設定されたイメージセンサ１０１の読取有効範囲で、センサ主走査ラインのスキャンを開始する（Ｓ２６）。イメージセンサ１０１が移動方向の紙端を検知したかどうかを調べ（Ｓ２７）、移動方向の紙端を検知しなければ（Ｎｏ）、Ｓ２６のスキャンを繰り返す。Ｓ２７で、移動方向の紙端を検知すれば（Ｙｅｓ）、イメージセンサ１０１の移動を停止する（Ｓ２８）。さらに、読取原稿の後端を検知したかどうかを調べ（Ｓ２９）、読取原稿後端を検知しなければ（Ｎｏ）、イメージセンサ１０１の読取有効範囲を、次のイメージセンサ１０１の読取有効範囲の領域に切り換える（Ｓ３０）。そして、イメージセンサ１０１の移動方向を切り換える（Ｓ３１）。
【００４９】
続いて、Ｓ２５に戻り、イメージセンサ１０１の反復移動を開始する。Ｓ２９で、原稿後端を検知すれば（Ｙｅｓ）、スキャン／コピー動作を終了する（Ｓ３２）。
【００５０】
図６は、画像読取制御装置１００の読取有効範囲に対する読取解像度と画像処理関連のバッファ容量との例を示す相関図である。
【００５１】
設定される読取解像度が上がると、イメージセンサ１０１の読取有効範囲に対する画像処理関連のバッファ容量が増加することを示している。また、イメージセンサ１０１の読取有効範囲が大きくなると、読取解像度に対する画像処理関連のバッファ容量が増加することも示している。画像処理関連のバッファメモリ容量を、所定量（最適メモリ容量）にしたい場合、図６で示されるような相関関係で、図４のＳ５、図５のＳ２３のイメージセンサ１０１の読取有効範囲を設定する方法も考えられる。
【００５２】
実施例１によれば、本体の省スペース化を図りつつ、イメージセンサ１０１の幅以上の原稿を読取可能にし、画像処理関連のバッファメモリ容量を所定量に減少させることができる。
【００５３】
上記実施例は、読取原稿の搬送方向とイメージセンサの移動方向とが直交し、自動原稿送り装置とイメージセンサとが交互に動き、原稿を読み取る画像読取制御装置である。また、上記実施例は、上記イメージセンサが読み取った画像データを取り込む画像データ取込手段と、上記イメージセンサが読み取った画像データ分だけ、原稿を搬送する原稿搬送手段とを有する。そして、上記実施例は、上記原稿搬送手段が原稿を搬送した後に、上記画像データ取込手段による画像データの取込と上記原稿搬送手段による原稿搬送とを繰り返し実行させる制御手段とを有する画像読取制御装置の例である。
【００５４】
この場合、上記イメージセンサの幅以下に設定された読取有効範囲におけるデータを、シェーディング補正データとして取得し、Ｘ＿ｐｉｘｅｌ×Ｙ＿ｌｉｎｅのブロック単位で処理する手段を有する。そして、画像処理関連バッファメモリの容量を、上記イメージセンサの幅の容量以下に減少させる。なお、Ｘ＿ｐｉｘｅｌは、設定された有効範囲又は有効範囲以下であり、Ｙ＿ｌｉｎｅは、設定されたライン数である。
【００５５】
また、上記イメージセンサがスキャンして読み取る幅は、読取モードと残メモリ容量とに基づいて設定されている範囲であり、読取モードと残メモリ容量とに基づいて、読取画像をメモリに蓄積する場合における圧縮率が設定されている。
【００５６】
さらに、上記実施例は、フラットベットの読取面で、シート又はブック原稿を読み取る画像読取装置において、読取モードと残メモリ容量とに応じた画像の領域を、イメージセンサに反復スキャンさせる反復スキャン手段を有する。また、上記実施例は、上記イメージセンサがスキャンした画像データを取り込む画像データ取込手段を有し、画像処理関連バッファメモリの容量を、上記イメージセンサの幅の容量以下に減少させる画像読取制御装置の例である。
【００５７】
上記の場合、上記イメージセンサがパラレル出力し、上記イメージセンサがスキャンして読み取る幅は、上記パラレル出力の１出力の有効幅単位である。
【００５８】
なお、上記実施例は、イメージセンサ１０１の読取有効範囲を設定する。このようにする代わりに、読取有効範囲を設定せずに、イメージセンサ１０１が読み取ったデータを取り込み、イメージセンサ１０１が読み取った画像データ分だけ、原稿を搬送し、画像データの取り込みと原稿搬送とを繰り返すようにしてもよい。
【００５９】
上記実施例では、原稿搬送方向とイメージセンサ１０１の移動方向とが直交し、往復スキャンを行うので、必要な各種画像処理、回転、連結時の画像処理バッファメモリが増加するが、画像処理関連バッファメモリの容量が減少する。
【００６０】
また、上記実施例によれば、読取モード（コピー、スキャン、解像度）と残メモリ容量とによって、イメージセンサ１０１の取り込み幅と圧縮率とを設定するので、画像処理バッファメモリの容量を減少させることができる。
【００６１】
さらに、上記実施例では、パラレル出力のイメージセンサ１０１の場合、パラレル出力のｃｈ単位で１パスの読取幅を設定し、読取モードと残メモリ容量とによって、パラレル出力とシングル出力とを切り替える。したがって、メモリ構成によって、システムパフォーマンスを最適化することができる。
【００６２】
つまり、上記実施例において、読取有効範囲を、イメージセンサ幅以下に設定し、シェーディングデータも、読取有効範囲分だけ取得する。したがって、シェーディングバッファを減少し、また、画像処理のブロック単位を読取有効幅以下に設定する。これによって、画像処理用バッファを減少し、画像処理関連バッファ（シェーディング用、画像処理用）の有効範囲を設定し、メモリ容量を減少する。つまり、上記イメージセンサの幅以下に設定された読取有効範囲のシェーディング補正データを取得する手段を設ける。
【００６３】
逆に言えば、システム（コスト）に合わせた所定のメモリ容量内で、実現可能であり、また、所定のメモリ内で、スペック（スピード）を極力引き出すために、読取モードと残メモリ容量とに応じて、読取有効範囲を設定する。
【００６４】
すなわち、上記実施例は、上記イメージセンサの幅以下に設定された読取有効範囲のシェーディング補正データを取得する手段を有し、Ｘ＿ｐｉｘｅｌ×Ｙ＿ｌｉｎｅのブロック単位で処理する手段を有する。なお、Ｘ＿ｐｉｘｅｌは、設定された有効範囲又は有効範囲以下であり、Ｙ＿ｌｉｎｅは、設定されたライン数である。そして、上記実施例は、画像処理関連バッファメモリの容量を、上記イメージセンサの幅の容量以下に減少させる実施例である。
【図面の簡単な説明】
【００６５】
【図１】本発明の実施例１である画像読取制御装置１００の構成を示す図である。
【図２】画像読取制御装置１００の画像処理部２００を示すブロック図である。
【図３】画像読取制御装置１００の読取有効範囲とモータ駆動とを示すブロック図である。
【図４】画像読取制御装置１００において、ＡＤＦ原稿スキャン制御の動作を示すフローチャートである。
【図５】画像読取制御装置１００のブック原稿スキャン制御の動作を示すフローチャートである。
【図６】画像読取制御装置１００の読取有効範囲に対する読取解像度と画像処理関連のバッファ容量との例を示す相関図である。
【符号の説明】
【００６６】
１００…画像読取制御装置、
１０１…イメージセンサ、
１０２…原稿、
２００…画像処理部、
２０１…読取デバイス、
２０２…読取入出力回路、
２１０…画像処理ブロック、
２２０…ブロックバッファＲＡＭ、
２３０…メモリ、
２４０…記録処理ブロック。
【図１】
2008160338.tif 000003
【図２】
2008160338.tif 000004
【図３】
2008160338.tif 000005
【図４】
2008160338.tif 000006
【図５】
2008160338.tif 000007
【図６】
2008160338.tif 000008